【事件の表示】
　特願２０００−３６８４７６号「潤滑剤組成物及び同組成物を塗布したコンドーム（２）」拒絶査定不服審判事件〔平成１４年　６月１１日出願公開、特開２００２−１６５８２２号〕について、次のとおり審決する。
【結　論】
　本件審判の請求は、成り立たない。
【理　由】
１．手続の経緯・本願発明
　本願は平成１２年１２月４日の出願であって、その請求項１に係る発明（以下、「本願発明」という。）は、特許請求の範囲の請求項１に記載された事項により特定される次のとおりのものと認める。
「（１）グリセリン、エチレングリコール、プロピレングリコール、それらのオリゴマーや共オリゴマー類、これら脂肪族多価アルコール類の脂肪族エーテルもしくはエステル類から選んだ脂肪族アルコール類もしくはそれらの誘導体、（２）単糖類、二糖類、もしくはそれらの誘導体、（３）糖類の残基を導入したビニール重合体もしくは共重合体、（４）酸及び／又は塩基からなる４成分を必須成分とし、pHが４．０〜５．５で有ることを特徴とする潤滑剤組成物、及び同組成物を塗布したコンドーム。」
　
２．引用例
　これに対して、原査定の拒絶の理由に引用した、本願出願前に頒布された刊行物である特開平５−２６９１６５号公報（以下、「引用例１」という。）には、次のように記載されている。
「 本発明はコンドーム用潤滑剤に於いて、グリセリン、エチレングリコール、エチレングリコールオリゴマー、グリセリンのエチレングリコールもしくはエチレングリコールオリゴマーモノエーテル、またはグリセリンのエチレングリコールもしくはエチレングリコールオリゴマージエーテルの群から選んだ、１種または２種以上の多価アルコールもしくはそれらのジエーテルと、グルコシドエチルメタクリレート、メトキシオリゴエチレングリコールのメタクリレートもしくはアクリレートの単独重合体およびグルコシドエチルメタクリレート、メトキシオリゴエチレングリコールのメタクリレートもしくはアクリレートと他のビニルモノマーとの共重合体からなる群から選んだ、１種または２種以上とを必須成分とすることを特徴とする、コンドーム用潤滑剤組成物、および同組成物を塗布したコンドームに関するものである。」（２ページ右欄１７〜３２行）
「尚このコンドーム用潤滑剤組成物には、ソルビトール、マルチトール、カルボキシメチルセルローズ、その他水溶性保湿剤、ゼラチン、食塩、糖分、界面活性剤、殺菌剤、殺精子剤、着色剤、その他人体に害を与えない物質を添加することができる。」（３ページ左欄９〜１３行）
　上記記載から引用例１には次の発明（以下、「引用発明」という。）が記載されていると認められる。
「（１）グリセリンと、（２）グルコシドエチルメタクリレート、メトキシオリゴエチレングリコールのメタクリレートもしくはアクリレートと他のビニルモノマーとの共重合体の群から選んだものを必須の成分とし、（３）ソルビトールを添加したコンドーム用潤滑剤組成物および同組成物を塗布したコンドーム。」
　
　同じく、原査定の拒絶の理由に引用した、特開平７−１４５０６３号公報（以下、「引用例２」という。）には、
「本発明の組成物においては、膣粘膜との適合性のため、ｐＨは約３ないし約５．５に保つ。」（段落【００２９】）
「【００３９】本発明の組成物は、抗ウイルス性の殺精子剤と膣潤滑が必要な場合に、使用される。本発明の組成物は、体外もしくは体内に適用される。本発明の組成物は、指もしくは塗布器を使って、またはコンドームや避妊ペッサリーに適用される。
【００４０】
【実施例】実施例１
本発明による膣潤滑ゲルを、次の表１に示す組成に従って調製した。
【００４１】
                                  表１
                                組成物１
  成分                                      組成割合１（重量％）
水                                              ７６．０８
プロピレングリコール                            １７．００
ヒドロキシエチルセルロース（Natrosol）            ２．３０
ノノキシノール−９                                ２．２０
ポリエトキシレート化ヒマシ油                      ２．００
メチルパラベン                                    ０．２０
ソルビン酸                                        ０．２０
水酸化ナトリウム                                  ０．０２
【００４２】このゲルを調製するには、フォン−ポウレンク・カンパニー(Phone-Poulenc Company) （ニュージャージー州、モンマウス・ジャンクション(Monmouth Junction) ）から販売されているIgepal C0630SPノノキシノール−０と、ビーエイエスエフ(BASF)社から「Cremophor RH-60」 の商品名で市販されている水素化・ポリエトキシレート化ヒマシ油を５０℃でまず予備混合する。そして、この混合に係るビーカーとは別のビーカーで、３５ｇのプロピレングリコールを取り、これにメチルパラベンとソルビン酸を加えた。この溶液を８０℃に加熱し、溶液が透明になるまで撹拌棒で撹拌した。この溶液は、さらに別のビーカーに取った水に加えた。この溶液のｐＨは、１．５ｇの水酸化ナトリウム（１０％溶液）で調整した結果、３．５９となった。さらに別のビーカーに５０ｇのプロピレングリコールをとり、これにアクアロン・カンパニー(Aqualon Company) （デラウエア州、ウィルミントン(Wilmington)）からNatrosolブランドで販売されているヒドロキシエチルセルロースを添加した。この溶液は、拡散するまで高速で撹拌し、ついで先の水溶液に添加した。得られた溶液は、次いで中間的な速度で３時間混合した。得られたゲルは、粘度が110,000cPs（Brookfield RVT, #27 を用い、1rpm，３分間の条件下で測定）、ｐＨが４．８であった。この母材から得られるヒドロキシエチルセルロースゲルと先の殺精子剤とは相容性で、得られる組成物は透明であった。」（段落【００３９】〜【００４２】）
「実施例４〜６
以下の組成物４〜６は、可溶化剤として、アイ・シー・アイ・アメリカ・スペシャルティ・ケミカルズ(ICI America Specialty Chemicals) 社（デラウェア州、ウィルミントン(Wilmington)）から販売されているTween 20およびTween 80のようなポリエトキシレート化ソルビタンを用いて調製された。組成物４においては、可溶化剤として、バージニア州のゴールドシュミット・ケミカル・コーポレイション(Goldschmidt Chemical Corporation)から販売されているTego L5351（コカミドプロピルベタイン粘性可溶化剤）を使用した。…（中略）…
【００５９】この組成物を調整するに当っては、まずノノキシノール−９とTween 20のプレミックスを調整した。ついでＰＶＰを水に添加し、クエン酸でｐＨを調整した。先のプレミックスはこの水溶液に加えた。グリセリンの半量を防腐剤と混合し、先の水溶液に加えた。グリセリンの半量は、ＨＥＣとともにスラリー状にし、この後水溶液と混合した。」（段落【００５５】〜【００５９】）と記載されており、コンドームの潤滑剤のｐＨを、膣粘膜との適合性のために約３ないし約５．５に保つ技術思想、及び、酸成分であるクエン酸、又は塩基成分である水酸化ナトリウムにより、４．０〜５．０の範囲内の値に調整する技術手段が公知であることが示されている。
　
３．対比・判断
　本願発明と引用発明とを対比すると、後者の「グリセリン」、「グルコシドエチルメタクリレート、メトキシオリゴエチレングリコールのメタクリレートもしくはアクリレートと他のビニルモノマーとの共重合体の群から選んだもの」、「ソルビトール」は、それぞれ、前者の「グリセリン、エチレングリコール、プロピレングリコール、それらのオリゴマーや共オリゴマー類、これら脂肪族多価アルコール類の脂肪族エーテルもしくはエステル類から選んだ脂肪族アルコール類もしくはそれらの誘導体」、「糖類の残基を導入したビニール重合体もしくは共重合体」、「単糖類、二糖類、もしくはそれらの誘導体」に相当する。
　
　したがって、両者は、
「≪グリセリン、エチレングリコール、プロピレングリコール、それらのオリゴマーや共オリゴマー類、これら脂肪族多価アルコール類の脂肪族エーテルもしくはエステル類から選んだ脂肪族アルコール類もしくはそれらの誘導体≫及び≪糖類の残基を導入したビニール重合体もしくは共重合体≫を必須の成分とし、≪単糖類、二糖類、もしくはそれらの誘導体≫を成分として含む、潤滑剤組成物、及び同組成物を塗布したコンドーム。」である点で一致しており、次の点で相違する。
　
　相違点：本願発明においては、「単糖類、二糖類、もしくはそれらの誘導体」及び「酸及び／又は塩基からなる成分」が必須であって、潤滑剤組成物の「pHが４．０〜５．５」であるのに対し、引用発明においては、「単糖類、二糖類、もしくはそれらの誘導体」は必須の成分ではなく、また、「酸及び／又は塩基からなる成分」が含まれるのか不明であり、潤滑剤組成物のpHの値も不明である点。
　　
　上記相違点について検討すると、コンドーム用潤滑剤組成物のpHを膣粘膜との適合性のために酸又は塩基からなる成分により調整し、４．０〜５．５の範囲の値とすることは、引用例２に記載されているように公知の技術であり、また、「単糖類、二糖類、もしくはそれらの誘導体」及び「酸及び／又は塩基からなる成分」を必須の成分とすることにより、予測し得ない格別の相乗効果を奏するものとも認められないから、引用発明において上記公知の技術を用い、かつ、「単糖類、二糖類、もしくはそれらの誘導体」を必須の成分として、上記相違点に係る本願発明の特定事項とすることは当業者が容易に想到し得ることである。
　なお、請求人は、本願発明における「酸及び／又は塩基からなる」成分である緩衝液は、引用例２に記載された酸又は塩基とは異なるものである旨主張しているが、本願発明の特定事項に基づかない主張であり、採用できない。
　　
４．むすび
　したがって、本願発明は、引用発明及び引用例２に記載された発明に基いて当業者が容易に発明をすることができたものであり、特許法第２９条第２項の規定により特許を受けることができない。
　よって、結論のとおり審決する。